(57)【要約】      （修正有）【課題】照明での視界を悪くすることなく安全性や作用性を向上させ、また従来型の伸縮材巻帯方式での装備による頭部への圧迫などによる違和感や嫌悪感を少なくし、快適な装備性を可能にした帽子のサイドに小型ヘッドライトを装備する構成を提供する。【解決手段】帽子１のサイドに前後両端に着脱方式のホックを有し小型ヘッドライト２を装備する伸縮性の少ない短尺帯状材の短尺装備帯４を有した構造とした帽子のサイドに小型ヘッドライトを装備する構成であり、小型ヘッドライト２に小型ヘッドライト２を挟み込むヘッドライト固定部を有するクリップを組み合わせ帽子１のサイドを挟んで装備する構造とした帽子のサイドに小型ヘッドライトを装備する構成であり、小型ヘッドライト２のかわりにペンシルライトを組み合わせる構造とした帽子のサイドに小型ヘッドライトを装備する構成である。【選択図】図１
0003104825.tif 000002
【実用新案登録請求の範囲】
【請求項１】
帽子１のサイドに前後両端を止めた小型ヘッドライト２を装備する伸縮性の少ない短尺帯状材の短尺装備帯４を有した構造を特徴とした帽子のサイドに小型ヘッドライトを装備する構成。
【請求項２】
小型ヘッドライト２にヘッドライト固定部６を有するクリップ７を組み合わせ帽子１のサイドを挟んでセットする構造を特徴とした帽子のサイドに小型ヘッドライトを装備する構成。
【請求項３】
小型ヘッドライト２のかわりにペンシルライト８を組み合わせる構造を特徴とした請求項１および請求項２の帽子のサイドに小型ヘッドライトを装備する構成。
【考案の詳細な説明】
【考案の詳細な説明】
【産業上の利用分野】
【０００１】  この考案は視界が悪い夜や暗闇での作業やレジャー等に於いて照明として使用する小型ヘッドライトと帽子との組み合わせた構成により、照明での視界を悪くすることなく安全性や作用性を向上させ、また従来型の伸縮材巻帯方式での装備による頭部への圧迫などによる違和感や嫌悪感を少なくし、快適な装備性を可能にした帽子のサイドに小型ヘッドライトを装備する構成に関するものである。
【背景技術】
【０００２】  従来の小型ヘッドライトおよび帽子の機構技術は各々の機能のみをベースとした別々の技術構成であって小型ヘッドライトと帽子の相互を組み合わせた機能をベースとした総合技術の構成ではなかった。
【考案が解決しようとする課題】
【０００３】  従来の小型ヘッドライトは伸縮性のあるゴム材質等で頭部を巻く構造の伸縮装備帯３による装備が一般的であったため、頭部に装着した場合の伸縮圧迫による頭部の締め付けは違和感や嫌悪感があったし、特に長時間装着した場合には苦痛であり不快であった。
【０００４】  装備方法は頭部を巻く伸縮加圧方式での装着であるため不安定であって、頭部よりのズレや落下を生じるなどの問題もあった。
【０００５】  従来の小型ヘッドライトの頭部前部装備位置での帽子と組み合わせに於いては帽子の鐔部が障害となり直下位置などの照明効果を低下させたり、陰影による照度悪化等が問題であった。
【課題を解決するための手段】
【０００６】  本考案は、これらの課題を解決するためのもので、いまその構成を図面により説明すれば、
（イ）請求項１については帽子１のサイドに前後両端に着脱方式のホック５を有し小型ヘッドライト２を装備する伸縮性の少ない短尺帯状材の短尺装備帯４を有した構造を特徴とした帽子のサイドに小型ヘッドライトを装備する構成。
（ロ）請求項２については小型ヘッドライト２に小型ヘッドライト２を挟み込むヘッドライト固定部６を有するクリップ７を組み合わせ帽子１のサイドを挟んで装備する構造を特徴とした帽子のサイドに小型ヘッドライトを装備する構成。
（ハ）請求項３については小型ヘッドライト２のかわりにペンシルライト８を組み合わせる構造を特徴とした請求項１はおよび請求項２の帽子のサイドに小型ヘッドライトを装備する構成であり、その一例を示せばペンシルライト８を固定する凹状の挟み板９を螺子１０で止める構成である。
【作用】
【０００７】  次に、本考案の作用を述べると、
（イ）請求項１については、帽子１のサイドに有する短尺装備帯４に小型ヘッドライト２をセットするだけで有効な照明と伸縮材等の伸縮装備帯３での頭部の締め付け加圧による不快感を防止する作用である。
（ロ）小型ヘッドライト２を使用しない場合にはホック５を外して短尺装備帯４を取り外すことも出来る作用である。
（ハ）請求項２については、帽子１の側部を小型ヘッドライト２に組み合わせたクリップ７により挟むだけで有効な照明と頭部の締め付け加圧による違和感や不快感を防止する作用である。
（ニ）請求項３については、小型ヘッドライト２のかわりにペンシルライト８を適用して同等の作用とするものである。
【考案を実施するための最良の形態】
【０００８】  具体実施例を述べる、
（イ）請求項１の帽子１の短尺装備帯４面部に頭部の保護や帽子１の補強用のための保護パットを付ける。
（ロ）請求項１の短尺装備帯４の後端を固着し前端を着脱方式のホック３構造とする。
（ハ）請求項１の短尺装備帯４の前端を固着し後端を着脱方式のホック３構造とする。
（ニ）請求項１の短尺装備帯４の前端および後端の両方を固着構造とする。
（ホ）請求項２の小型ヘッドライト２と組み合わせたクリップ７の頭部側に頭部の保護カバーを設ける。
（ヘ）請求項３のペンシルライト８のかわりに小型懐中電灯を適用する。
（ト）短尺装備帯４を用途に応じた各種デザイン構成とする。
（チ）短尺装備帯４を蛍光材を塗布した蛍光帯とする。
【発明の効果】
【０００９】  本考案の帽子のサイドに小型ヘッドライトを装着する構成の請求項１においては従来型の伸縮性のあるゴム材質等の伸縮装備帯３に装備していた小型ヘッドライト構成の小型ヘッドライト２のみを短尺装備帯４に装着するだけでそのまま流用でき、帽子１に短尺装備帯４を設けるだけで実用化できるため、新たな小型ヘッドライト２を開発する必要もなく即応性があり大変効率的であるし、従来の問題点であった伸縮性のあるゴム材質等の伸縮装備帯３での頭部の締め付け加圧による違和感や圧迫感や不快感を防止できるし、帽子１の前部に位置することでの帽子１の鐔による照明阻害などの問題も解決できます。
【００１０】  また請求項２においては、小型ヘッドライト２とクリップ７を組み合わせた構成であるため帽子１の適応位置へ何処へでも装着できるし、請求項１に於ける効果も全て期待することができます。
【００１１】  また請求項３においては、小型ヘッドライト２のかわりにペンシルライト８を使えるため多様の活用が可能となります。
【００１２】  本考案により視界が悪い夜や暗闇での作業やレジャー等に於いて頭部への加圧による不快感もなく爽快な体感とズレや落下のない安定した装備と有効な照明により視界も良く安全で効率的な作業やレジャーを楽しむことができ、明るく楽しく安全な社会づくりに大きく貢献するものである。
【図面の簡単説明】
【図１】
本考案の請求項１の帽子１に小型ヘッドライト２を装備した状態の斜視図
【図２】
従来型の帽子１のサイドに小型ヘッドライト２を装備した状態の斜視図
【図３】
従来型の帽子１の前部に小型ヘッドライト２を装備した状態の斜視図
【図４】
本考案の請求項１の斜視図
【図５】
本考案の請求項２の正面図
【図６】
本考案の請求項３の一例を示す斜視図
【符号の説明】
１は帽子
２は小型ヘッドライト
３は伸縮装備帯
４は短尺装備帯
５はホック
６はヘッドライト固定部
７はクリップ
８はペンシルライト
９は挟み板
１０は螺子
【図１】
0003104825.tif 000003
【図２】
0003104825.tif 000004
【図３】
0003104825.tif 000005
【図４】
0003104825.tif 000006
【図５】
0003104825.tif 000007
【図６】
0003104825.tif 000008